(57)【要約】【課題】ダビング中断時の動作の自由度を高める。【解決手段】制御部１０１は、ダビング時にユーザからダビング中断の要求があるとき、ダビングを中断すると共に、ダビング先メディアにダビング再開情報を記録する。制御部１０１は、リムーバブルメディアとしてのＤＶＤ１１１またはメモリカード１１２が装填されるとき、ダビング再開情報が記録されているか判定し、記録されている場合には、そのダビング再開情報に基づいて、ダビングを再開する。ダビング途中のダビング先メディアを取り出しても支障がなく、ダビング先メディアを取り出した後、別の記録メディアを装填し、撮影に係るコンテンツの記録を行うことができ、あるいは新たなダビングを行うことができる。ダビングを中断し、取り出したリムーバブルメディアが複数存在する場合、ダビングの開始の順番とダビング再開の順番が入れ替わってもダビングできる。【選択図】図１
2009093728.tif 000002
【特許請求の範囲】
【請求項１】
コンテンツを、ダビング元メディアから読み出し、ダビング先メディアに記録するダビング処理を行うダビング処理部と、
上記ダビング処理部におけるダビング処理が中断されるとき、上記ダビング先メディアにダビング処理を再開するために必要とするダビング再開情報を記録するダビング再開情報記録部と、
上記ダビング処理部でダビングを再開する際に、上記ダビング先メディアから上記ダビング再開情報を読み出すダビング再開情報読み出し部と
を備えることを特徴とする記録装置。
【請求項２】
入力コンテンツを記録先メディアに記録するコンテンツ記録部と、
上記ダビング処理部におけるダビングが中断される場合、上記ダビング先メディアが上記記録先メディアと同一でリムーバブルメディアであるとき、記録先メディアの入れ替えが必須である場合には、記録先メディアの入れ替えを通知するユーザ通知部とをさらに備える
ことを特徴とする請求項１に記載の記録装置。
【請求項３】
ダビング再開情報が記録されたリムーバブルメディアが装填されるとき、
上記ダビング再開情報読み出し部は、上記リムーバブルメディアからダビング再開情報を読み出し、
上記ダビング処理部は、上記ダビング再開情報読み出し部で読み出されたダビング再開情報に基づいて、上記リムーバブルメディアをダビング先メディアとするダビング処理を再開する
ことを特徴とする請求項１に記載の記録装置。
【請求項４】
コンテンツをダビング元メディアから読み出してダビング先メディアに記録するダビング処理を行うダビング処理部を有する記録装置におけるダビング中断方法であって、
ダビング中断の指示に基づいて、上記ダビング処理部が行っているダビング処理を中断するダビング中断ステップと、
上記ダビング中断ステップでダビング処理が中断されるとき、上記ダビング先メディアにダビング処理を再開するために必要とするダビング再開情報を記録するダビング再開情報記録ステップと
を備えることを特徴とする記録装置におけるダビング中断方法。
【請求項５】
コンテンツをダビング元メディアから読み出してダビング先メディアに記録するダビング処理を行うダビング処理部を有する記録装置におけるダビング再開方法であって、
上記ダビング先メディアからダビング再開情報を読み出すダビング再開情報読み出しステップと、
上記ダビング再開情報読み出しステップで読み出されたダビング再開情報に基づいて、上記ダビング処理部におけるダビング処理を再開するダビング再開ステップと
を備えることを特徴とする記録装置におけるダビング再開方法。
【発明の詳細な説明】
【技術分野】
【０００１】
この発明は、例えば、複数種類の記録メディアを扱うビデオカメラ、レコーダ等に適用して好適な記録装置、記録装置におけるダビング中断方法、および記録装置におけるダビング再開方法に関する。詳しくは、ダビングを中断する際にダビング先メディアにダビング再開情報を記録しておくことにより、ダビング中断時の動作の自由度を高めるようにした記録装置等に係るものである。
【背景技術】
【０００２】
従来、１台のビデオカメラ、あるいは１台のレコーダが記録媒体として用いるのは１種類に限られていた。しかし、近年、これらの電子機器が複数種類の記録メディアを扱うようになり、異なる記録メディア間でコンテンツをダビングする必要性が高まっている。
【０００３】
ダビングの開始から完了までにはそれなりの時間が必要となる。そのため、ダビング処理を中断できないときには、一旦ダビングを開始すると、一定時間、撮影や録画が行えなくなるという問題が発生する。この問題を解決するために、例えば、特許文献１には、ダビング中に録画予約開始時間が近づいたときにはダビングを一時中断し、録画が完了した後にダビングを再開することが記載されている。
【特許文献１】特表２００６−５２６２４２号公報
【発明の開示】
【発明が解決しようとする課題】
【０００４】
しかし、特許文献１に記載される技術では、ダビングを再開するために必要とするダビング再開情報がセット側に記録されることから、以下のような問題がある。
【０００５】
（１）ダビング再開時に、ダビングを再開しようとする記録メディアとは別の記録メディアに先にダビングしたいコンテンツがあるにも関わらず、中断中のダビングを先に再開して完了しなければならない。
【０００６】
（２）ダビング先メディアがリムーバブルメディアである場合、ダビングを中断し、ダビング中の記録メディアを取り出して、別の記録メディアに、ダビングではない通常の記録（例えば、テレビ放送、あるいは撮影に係るコンテンツの記録）を行うことができない。
【０００７】
この発明の目的は、ダビング中断時の動作の自由度を高めることにある。
【課題を解決するための手段】
【０００８】
この発明の概念は、
コンテンツを、ダビング元メディアから読み出し、ダビング先メディアに記録するダビング処理を行うダビング処理部と、
上記ダビング処理部におけるダビング処理が中断されるとき、上記ダビング先メディアにダビング処理を再開するために必要とするダビング再開情報を記録するダビング再開情報記録部と、
上記ダビング処理部でダビングを再開する際に、上記ダビング先メディアから上記ダビング再開情報を読み出すダビング再開情報読み出し部と
を備えることを特徴とする記録装置にある。
【０００９】
この発明においては、ダビング処理時には、ダビング元メディアからコンテンツ（画像データ、音声データ、テキストデータ等）が読み出され、当該読み出されたコンテンツはダビング先メディアに記録される。例えば、ダビング元メディアはＨＤ(Hard Disk)であり、ダビング先メディアはＤＶＤ(Digital VersatileDisc)等の光ディスク、あるいはメモリカードである。
【００１０】
このダビング処理が中断されるとき、ダビング先メディアにダビング処理を再開するために必要とするダビング再開情報が記録される。ダビング処理の中断は、ダビング中断の指示に基づいて、行われる。ダビング中断の指示は、例えば、ビデオカメラの場合、ユーザ操作により発生される。また、例えば、レコーダの場合、ユーザ操作により発生される他、予約録画の開始時刻が近づいたとき、システム内で自動的に発生される。また、例えば、監視カメラ（防犯カメラ）の場合、ユーザ操作により発生される他、センサー出力、あるいは画像内容に基づいて、システム内で自動的に発生される。
【００１１】
また、ダビング再開時には、ダビング先メディアからダビング再開情報が読み出され、このダビング再開情報に基づいて、当該ダビング先メディアに対するダビング処理が再開される。例えば、ダビング再開情報が記録されたリムーバブルメディアが装填されるとき、当該リムーバブルメディアからダビング再開情報が読み出されて、ダビング処理が再開される。
【００１２】
このように、この発明においては、ダビングを中断する際にダビング先メディアにダビング再開情報を記録しておくため、ダビング中断時の動作の自由度を高めることが可能となる。例えば、ダビング先メディアがリムーバブルメディアである場合、ダビングを中断した後、ダビング先メディアを取り出し、別の記録メディアを装填し、ダビングではない通常の記録（例えば、テレビ放送、あるいは撮影に係るコンテンツの記録）を行うことができる。また、ダビング先メディアがリムーバブルメディアである場合、ダビングを中断した後、ダビング先メディアを取り出し、別の記録メディアを装填し、新たなダビングを行うことができる。
【００１３】
なお、このように、ダビング先メディアがリムーバブルメディアであって、ダビングを中断した後にダビング先メディアを取り出したとしても、再装填されることで、上述したように当該リムーバブルメディアからダビング再開情報が読み出され、このダビング再開情報に基づいてダビング処理を再開できる。この場合、ダビングを中断して取り出したリムーバブルメディアが複数存在する場合、ダビングの開始の順番とダビング再開の順番が入れ替わってもダビングできる。
【００１４】
また、この発明において、例えば、入力コンテンツを記録先メディアに記録するコンテンツ記録部と、ダビング処理部におけるダビングが中断される場合、ダビング先メディアが記録先メディアと同一でリムーバブルメディアであるとき、記録先メディアの入れ替えが必須である場合には、記録先メディアの入れ替えを通知するユーザ通知部とをさらに備える、ようにされてもよい。
【００１５】
例えば、記録先メディアがＤＶＤであり、記録フォーマットがDVD Video Recording Formatである場合には記録メディアの入れ替えが必須となる。しかし、記録先メディアがメモリカードである場合、ＭＰＥＧ−２方式でエンコードされた動画データをファイルシステム上にファイルとして記録する記録フォーマット（以下、「Video File Format」と称する）が採用されていれば、記録メディアの入れ替えは不要となる。すなわち、ＤＶＤへはコンテンツがシーケンシャルに記録されていくので、別のコンテンツを途中で記録することができないが、メモリカードへのコンテンツの記録は物理的位置に制約されないので、別のコンテンツを割り込んで記録できる。ここで、Video File Formatは、例えばＤＣＦ(Design rule forCamera File system)のように、ディレクトリとファイルに番号を与えてコンテンツを管理する方式であり、動画データは、番号を与えられたディレクトリ内にファイルとして記録される。
【００１６】
また、例えば、記録フォーマットがＡＶＣＨＤ（Advanced Video Codec High Definition）である場合には記録メディアの入れ替えが必須となる。
【００１７】
このように、記録メディアの入れ替えが必要な場合、その旨がユーザに通知されることで、ユーザは記録メディアの入れ替えを適切に行うことができ、ダビング中断中に行われる記録先メディアへのコンテンツの記録の失敗を回避できる。
【発明の効果】
【００１８】
この発明によれば、ダビングを中断する際にダビング先メディアにダビング再開情報を記録しておくものであり、ダビング中断時の動作の自由度を高めることができる。
【発明を実施するための最良の形態】
【００１９】
以下、図面を参照しながら、この発明の実施の形態について説明する。図１は、実施の形態としてのビデオカメラ１００の構成例を示している。なお、この構成例においては、説明を簡単にするため、音声系については省略している。
【００２０】
このビデオカメラ１００は、制御部１０１と、ユーザ操作部１０２と、撮像部１０３と、記録再生処理部１０４と、ＲＡＭ１０５と、表示部１０６と、出力端子１０７と、光ディスクドライブ１０８と、メモリカードドライブ１０９と、内蔵記録メディアとしてのＨＤ(Hard Disk)１１０とを有している。
【００２１】
制御部１０１は、ビデオカメラ１００の各部の動作を制御する。ユーザ操作部１０２は、ユーザインタフェースを構成し、制御部１０１に接続されている。ユーザ操作部１０２は、ビデオカメラ１００の図示しない筐体に配置されたキー、釦、ダイアル、あるいは表示部１０６の表示面に配置されたタッチパネル等で構成される。
【００２２】
撮像部１０２は、例えば、ＣＣＤ(Charge Coupled Device)イメージセンサ、ＣＭＯＳ(ComplementaryMetal Oxide Semiconductor）イメージセンサ等の撮像素子を備え、図示しない被写体を撮像して、当該被写体に対応した撮像画像データを出力する。
【００２３】
記録再生処理部１０４は、記録時には、撮像部１０３からの画像データに対して、記録フォーマットに応じた圧縮符号化等の記録処理を施して記録データを生成する。また、記録再生処理部１０４は、再生時には、光ディスクドライブ１０８、メモリカードドライブ１０９またはＨＤ１１０からの読み出しデータに対して、復号化処理等を施して再生画像データを生成する。
【００２４】
ＲＡＭ１０５は、制御部１０１のワーキングエリアとして機能する。また、このＲＡＭ１０５は、記録時には、記録再生処理部１０４で生成された記録データを一時的に保持し、再生時には、光ディスクドライブ１０８、メモリカードドライブ１０９またはＨＤ１１０からの読み出しデータを一時的に保持する。
【００２５】
表示部１０６は、ＬＣＤ(Liquid Crystal Display)等で構成される。この表示部１０６は、記録再生処理部１０４に接続されている。この表示部１０６は、撮像部１０３で撮像された撮像画像データによる画像を表示する。また、この表示部１０６は、再生時には、記録再生処理部１０４で生成された再生画像データによる画像を表示する。また、この表示部１０６は、ユーザインタフェースを構成し、動作状況を示す、あるいは、操作のための、ユーザインタフェース（ＵＩ）画面を提供する。出力端子１０７は、再生時に、記録再生処理部１０４で生成された再生画像データを出力する。
【００２６】
光ディスクドライブ１０８は、記録メディアとしてのＤＶＤ１１１に対して、記録再生を行う。この光ディスクドライブ１０８には、ＤＶＤ１１１が着脱自在に装填される。メモリカードドライブ１０９は、記録メディアとしてのメモリカード１１２に対して、記録再生を行う。このメモリカードドライブ１０９には、メモリカード１１２が着脱自在に装填される。ここで、ＤＶＤ１１１およびメモリカード１１２は、リムーバブルメディアを構成している。
【００２７】
図１に示すビデオカメラ１００の動作を説明する。
【００２８】
まず、記録時（撮影時）の動作を説明する。撮像部１０３から出力される被写体に対応した撮像画像データは記録再生処理部１０４に供給される。この記録再生処理部１０４では、撮像画像データに対して、圧縮符号化等の記録処理が施されて記録データが生成される。そして、この記録データはＲＡＭ１０５を介して、光ディスクドライブ１０８、メモリカードドライブ１０９またはＨＤ１１０に供給されて、記録メディア（ＤＶＤ１１１、メモリカード１１２またはＨＤ）に記録される。この場合、記録メディアには、撮影に係るコンテンツが記録される。なお、この記録時には、記録再生処理部１０４から表示部１０６に撮像画像データが供給され、表示部１０６には、撮像画像が表示される。
【００２９】
次に、再生時の動作を説明する。光ディスクドライブ１０８、メモリカードドライブ１０９またはＨＤ１１０からの所定のコンテンツの読み出しデータは、ＲＡＭ１０５を介して、記録再生処理部１０４に供給される。記録再生処理部１０４では、読み出しデータに対して、復号化等の再生処理が施されて再生画像データが生成される。
【００３０】
記録再生処理部１０４で生成された再生画像データは、出力端子１０７に出力される。また、記録再生処理部１０４で生成された再生画像データは表示部１０６に供給され、表示部１０６には、再生画像が表示される。
【００３１】
次に、ダビング時の動作を説明する。コンテンツのダビングは、ＤＶＤ１１１、メモリカード１１２およびＨＤ１１０の各記録メディア間で行われる。ダビング元メディアおよびダビング先メディアの選択、ダビング元メディアにおけるダビングするファイルの選択、ダビング開始の指示などは、表示部１０６に表示されるＵＩ画面を参照しながら、ユーザがユーザ操作部１０２を操作することで、行われる。
【００３２】
図２は、ダビング元メディアの選択、ダビングするファイルの選択、そして、ダビング開始の指示などを行うためのＵＩ画面の一例を示している。このＵＩ画面に基づいて、ユーザは、内蔵メディア（ＨＤ）、メモリカード、ＤＶＤのいずれかを、ダビング元メディアとして選択できる。このＵＩ画面には、ダビング元メディアとして選択された記録メディアに記録されている各ファイル（チャプタ）の先頭画像を示すサムネイルが表示される。図において、かっこ内の数字はチャプタ番号を示している。
【００３３】
ユーザは、このように表示されるサムネイルに基づいて、ダビングするファイルを選択できる。選択されたファイル（チャプタ）に対応するサムネイルには、図示のように、ダビングマークが付される。図の例においては、チャプタ番号が９〜１１のサムネイルにダビングマークが付されている。ユーザは、ＵＩ画面に表示される各ファイル（チャプタ）のサムネイルの表示を、スクロールバーを操作することで、スクロールさせることができる。
【００３４】
ユーザは、ダビング元メディアにおけるダビングするファイルを選択した後、例えば、ＵＩ画面に存在するダビング開始ボタンを操作して、ダビング開始を指示できる。なお、ダビング先メディアに関しては、ダビング元メディアの選択に先立って行われているものとする。ビデオカメラ１００の制御部１０１は、ダビング開始の指示を受けて、ダビング制御を開始する。
【００３５】
図３、図４のフローチャートは、ダビング時における制御部１０１の制御動作例を示している。
【００３６】
まず、制御部１０１は、ステップＳＴ１において、ダビング開始の指示に基づいて、ダビング制御動作を開始し、ステップＳＴ２において、ダビングを開始する。
【００３７】
例えば、ダビング元メディアがＨＤ１１０で、ダビング先メディアがＤＶＤ１１１である場合には、ＨＤ１１０から読み出されたコンテンツデータが一時的にＲＡＭ１０５に書き込まれ、その後、当該コンテンツデータがＲＡＭ１０５から読み出されて光ディスクドライブ１０８に供給され、ＤＶＤ１１１に記録される。
【００３８】
また、例えば、ダビング元メディアがＨＤ１１０で、ダビング先メディアがメモリカード１１２である場合には、ＨＤ１１０から読み出されたコンテンツデータが一時的にＲＡＭ１０５に書き込まれ、その後、当該コンテンツデータがＲＡＭ１０５から読み出されてメモリカードドライブ１０９に供給され、メモリカード１１２に記録される。
【００３９】
次に、制御部１０１は、ステップＳＴ３において、ダビング中断の要求があるか否かを判定する。なお、図示しないが、ダビング中には、表示部１０６に、ダビング中断ボタンが表示され、ユーザは、当該ダビング中断ボタンを操作して、ダビング中断を指示できる。ユーザは、例えば、撮影を行うために、ダビング中断を指示する。制御部１０１は、このようにダビング中断の指示があるとき、ダビング中断の要求があったものと判定する。
【００４０】
ダビング中断の要求があったとき、制御部１０１は、ステップＳＴ４において、ダビングを中断し、ダビング先メディアにダビング再開情報を記録する。
【００４１】
図５は、ダビング元メディアがＨＤ１１０で、ダビング先メディアがＤＶＤ１１１である場合に、ＤＶＤ１１１に記録されるダビング再開情報の一例を示している。この例では、ＨＤ１１０にコンテンツとしてＭＰＥＧファイルが記録されており、ダビングするコンテンツがファイル単位で指定されているものとする。この場合、ダビング再開情報は、（ａ）ダビング元メディアにおけるダビングするファイルのファイル名リスト、（ｂ）ダビング中断時にダビングしていたファイルのファイル名（中断ファイル名）、および、（ｃ）ダビング中断時にダビングしていたファイルにおける中断位置（中断ファイル内位置）、の情報とされる。
【００４２】
図６は、ダビング元メディアがＨＤ１１０で、ダビング先メディアがメモリカード１１２である場合に、メモリカード１１２に記録されるダビング再開情報の一例を示している。この例では、ＨＤ１１０にコンテンツとしてＭＰＥＧファイルが記録されており、ダビングするコンテンツがファイル単位で指定されているものとする。この場合、ダビング再開情報は、（ａ）ダビング元メディアにおけるダビングするファイルのファイル名リスト、（ｂ）ダビング中断時にダビングしていたファイルのファイル名（中断ファイル名）、および、（ｃ）ダビング中断時にメモリカード１１２に記録されていたファイルのファイル名（ダビング先ファイル名）、の情報とされる。
【００４３】
メモリカードドライブ１０９では、ＨＤ１１０から読み出されたファイルのファイル名を、リナンバーリングすることがある。例えば、ＨＤ１１０から読み出された「XXX0001.mpg，XXX0002.mpg，XXX0013.mpg」のファイルは、メモリカード１１２には、「XXX0001.mpg，XXX0002.mpg，XXX0003.mpg」のファイルとして記録される。メモリカードドライブ１０９では、ＦＡＴ(File Allocation Table)ファイルシステムが使用されているので、ダビング中断時に、どのファイルに記録していたかを覚えておく必要がある。そのため、上述したように、ダビング再開情報にダビング先ファイル名が含まれる。
【００４４】
図３に戻って、次に、制御部１０１は、ステップＳＴ５において、ダビング先メディアが、撮影時の記録メディアと同一で、リムーバブルメディアであるか否かを判定する。制御部１０１は、撮影時の記録先メディアがＤＶＤ１１１で、ダビング先メディアもＤＶＤ１１１であるときは、ステップＳＴ５の条件を満たすものと判定する。また、制御部１０１は、撮影時の記録先メディアがメモリカード１１２で、ダビング先メディアもメモリカード１１２であるときは、ステップＳＴ５の条件を満たすものと判定する。ステップＳＴ５の条件を満たさないと判定するとき、制御部１０１は、直ちに、ステップＳＴ６（図４）に移る。
【００４５】
ステップＳＴ５の条件を満たすとき、制御部１０１は、ステップＳＴ７において、記録先メディアの入れ替えが必須であるか否かを判定する。制御部１０１は、記録先メディアがＤＶＤ１１１であり、記録フォーマットがDVD Video Recording Formatである場合には、記録先メディアの入れ替えが必須であると判定する。ＤＶＤ１１１へはコンテンツがシーケンシャルに記録されていくので、別のコンテンツを途中で記録することができないからである。
【００４６】
なお、記録先メディアがメモリカード１１２である場合、記録フォーマットがVideo File Formatであれば、コンテンツの記録は物理的位置に制約されないので、別のコンテンツを割り込んで記録でき、従って、記録先メディアの入れ替えは必須ではない。また、制御部１０１は、記録フォーマットがＡＶＣＨＤである場合には、記録先メディアの入れ替えが必須であると判定する。この場合には、論理的にＤＶＤ１１１への記録と同じ状況となるからである。
【００４７】
入れ替えが必須であると判定するとき、制御部１０１は、ステップＳＴ８において、例えば、表示部１０６に記録先メディアの入れ替えが必須である旨を表示し、ユーザに、記録先メディアの入れ替えを促す。そして、制御部１０１は、ステップＳＴ９において、記録先メディアの入れ替えを待った後、ステップＳＴ６に移る。
【００４８】
また、入れ替えが必須でないと判定するとき、制御部１０１は、ステップＳＴ１０において、表示部１０６に記録先メディアの入れ替えを行うか否かの選択ボタンを表示し、ユーザに、記録先メディアの入れ替えの判断を仰ぐ。
【００４９】
そして、制御部１０１は、ステップＳＴ１１において、記録先メディアを入れ替えるか否かを判定する。制御部１０１は、ユーザが入れ替えを行うことを選択したときは、入れ替えるものと判定し、一方、ユーザが入れ替えを行わないことを選択したときは、入れ替えを行わないものと判定する。入れ替えを行わないと判定するとき、制御部１０１は、直ちに、ステップＳＴ６に移る。一方、入れ替えるものと判定するとき、制御部１０１は、ステップＳＴ９において、記録先メディアの入れ替えを待った後、ステップＳＴ６に移る。
【００５０】
制御部１０１は、ステップＳＴ６において、ユーザの操作に基づいて、撮影を開始し、その後、ステップＳＴ１２において、ユーザの操作に基づいて撮影を終了する。撮影時には、撮像部１０３からの撮像画像データが記録再生処理部１０４に供給され、この撮像画像データに対応した記録データが生成され、この記録データが記録先メディアに記録される。
【００５１】
次に、制御部１０１は、ステップＳＴ１３において、記録先メディアの入れ替えを行ったか否かを判定する。記録先メディアの入れ替えを行っていないと判定するとき、制御部１０１は、ステップＳＴ１４において、表示部１０６にダビング再開を行うか否かの選択ボタンを表示し、ユーザに、ダビング再開の判断を仰ぐ。
【００５２】
そして、制御部１０１は、ステップＳＴ１５において、ダビングを再開するか否かを判定する。制御部１０１は、ユーザがダビング再開を選択したときは、ダビングを再開するものと判定し、一方、ユーザがダビング再開を選択しないときは、ダビングを再開しないものと判定する。ダビングを再開しないと判定するとき、制御部１０１は、ステップＳＴ１６において、一連の制御動作を終了する。ダビングを再開すると判定するとき、制御部１０１は、ステップＳＴ１７において、表示部１０６への表示等で、ユーザにダビング再開を通知し、その後に、ステップＳＴ１８に移る。
【００５３】
このステップＳＴ１８において、制御部１０１は、ダビング先メディアから、ダビング再開情報を読み出して取得する。そして、制御部１０１は、ステップＳＴ１９において、ステップＳＴ１８で取得されたダビング再開情報に基づいて、ダビングを再開する。その後、制御部１０１は、ステップＳＴ２０において、ダビングが終了したか否かを判定する。制御部１０１は、ダビング元メディアにおけるダビングするファイルの全てがダビングされたとき、ダビングが終了したと判定する。ダビングが終了したと判定するとき、ステップＳＴ２１でダビングを終了し、その後に、ステップＳＴ１６において、一連の制御動作を終了する。
【００５４】
また、ステップＳＴ１３でメディアの入れ替えを行ったと判定するとき、制御部１０１は、ステップＳＴ２２において、表示部１０６にダビング再開を行うか否かの選択ボタンを表示し、ユーザに、ダビング再開の判断を仰ぐ。
【００５５】
そして、制御部１０１は、ステップＳＴ２３において、ダビングを再開するか否かを判定する。制御部１０１は、ユーザがダビング再開を選択したときは、ダビングを再開するものと判定し、一方、ユーザがダビング再開を選択しないときは、ダビングを再開しないものと判定する。ダビングを再開しないと判定するとき、制御部１０１は、ステップＳＴ１６において、一連の制御動作を終了する。ダビングを再開すると判定するとき、制御部１０１は、ステップＳＴ２４に移る。
【００５６】
このステップＳＴ２４において、制御部１０１は、表示部１０６への表示等で、ユーザに、ダビング途中の記録メディア（リムーバブルメディア）を、装填するように通知する。この場合、ユーザは、ダビング途中の記録メディアがＤＶＤ１１１であった場合には、当該ＤＶＤ１１１を光ディスクドライブ１０８に装填する。また、ユーザは、ダビング途中の記録メディアがメモリカード１１２であった場合には、当該メモリカード１１２をメモリカードドライブ１０９に装填する。
【００５７】
次に、制御部１０１は、ステップＳＴ２５において、記録メディアが装填されたか否かを判定する。記録メディアの装填があったとき、制御部１０１は、ステップＳＴ１８において、ダビング先メディア（装填された記録メディア）から、ダビング再開情報を読み出して取得する。そして、制御部１０１は、ステップＳＴ１９において、ステップＳＴ１８で取得されたダビング再開情報に基づいて、ダビングを再開する。
【００５８】
その後、制御部１０１は、ステップＳＴ２０において、ダビングが終了したか否かを判定する。制御部１０１は、ダビング元メディアにおけるダビングするファイルの全てがダビングされたとき、ダビングが終了したと判定する。ダビングが終了したと判定するとき、ステップＳＴ２１でダビングを終了し、その後に、ステップＳＴ１６において、一連の制御動作を終了する。
【００５９】
図７のフローチャートは、図３のフローチャートにおけるステップＳＴ３およびステップＳＴ４の部分の制御動作の詳細を示している。
【００６０】
まず、制御部１０１は、ステップＳＴ３１において、制御動作を開始し、その後に、ステップＳＴ３２に移る。このステップＳＴ３２において、制御部１０１は、ダビングするコンテンツ（ファイル）を全てダビングしたか否かを判定する。全てダビングしたと判定するときは、ステップＳＴ３３において、ダビングを終了する。
【００６１】
全てダビングしていないと判定するとき、制御部１０１は、ステップＳＴ３４において、ユーザからのダビング中断の要求があるか否かを判定する。ダビング中断要求があると判定するとき、制御部１０１は、ステップＳＴ３５において、ダビング再開情報をダビング先メディアに記録し、ステップＳＴ３６において、ダビングを中断する。
【００６２】
ステップＳＴ３４でダビング中断要求がないと判定するとき、制御部１０１は、ステップＳＴ３７において、ダビング元メディアから所定量のデータを読み出してＲＡＭ１０５に書き込む。そして、制御部１０１は、ステップＳＴ３８において、ＲＡＭ１０５から所定量のデータを読み出してダビング先メディアに書き込む。その後、制御部１０１は、ステップＳＴ３２に戻り、上述したと同様の制御動作を繰り返す。
【００６３】
図８のフローチャートは、リムーバブルメディアとしてのＤＶＤ１１１あるいはメモリカード１１２が装填された場合における制御部１０１の制御動作例を示している。
【００６４】
まず、制御部１０１は、ステップＳＴ４１において、メディアの装填があったとき、制御動作を開始し、その後に、ステップＳＴ４２に移る。このステップＳＴ４２において、制御部１０１は、装填された記録メディアにダビング再開情報が記録されているか否かを判定する。ダビング再開情報が記録されているとき、制御部１０１は、ステップＳＴ４３において、表示部１０６にダビング再開を行うか否かの選択ボタンを表示し、ユーザに、ダビング再開の判断を仰ぐ。
【００６５】
そして、制御部１０１は、ステップＳＴ４４において、ダビングを再開するか否かを判定する。制御部１０１は、ユーザがダビング再開を選択したときは、ダビングを再開するものと判定し、一方、ユーザがダビング再開を選択しないときは、ダビングを再開しないものと判定する。ダビングを再開すると判定するとき、制御部１０１は、ステップＳＴ４５において、ダビングを再開し、その後、ステップＳＴ４６において、制御動作を終了する。
【００６６】
ステップＳＴ４２で装填された記録メディアにダビング再開情報が記録されていないとき、あるいはステップＳＴ４４でダビングを再開しないと判定するとき、制御部１０１は、直ちにステップＳＴ４６に移り、制御動作を終了する。
【００６７】
以上説明したように、図１に示すビデオカメラ１００においては、ダビング時にユーザからダビング中断の要求があるとき、ダビングを中断すると共に、ダビング先メディアにダビング再開情報を記録する。そのため、ダビング先メディアがリムーバブルメディアであって、ダビングを中断した後にダビング先メディアを取り出したとしても、再装填されることで、上述したように当該リムーバブルメディアからダビング再開情報が読み出され、このダビング再開情報に基づいてダビング処理を再開できる。この場合、ダビングを中断し、取り出したリムーバブルメディアが複数存在する場合、ダビングの開始の順番とダビング再開の順番が入れ替わってもダビングできる。
【００６８】
また、図１に示すビデオカメラ１００においては、上述したように、ダビング途中のダビング先メディアを取り出しても支障がないので、ダビング先メディアを取り出した後、別の記録メディアを装填し、撮影に係るコンテンツの記録を行うことができ、あるいは新たなダビングを行うことができる。すなわち、ダビング中断時の動作の自由度を高めることができる。
【００６９】
また、図１に示すビデオカメラ１００においては、ダビングを中断したとき、ダビング先メディアが撮影時の記録先メディアと同一で、リムーバブルメディアであって、入れ替えが必須である場合には、表示部１０６にその旨を表示する等してユーザに記録先メディアの入れ替えを促す。そのため、ユーザは記録先メディアの入れ替えを適切に行うことができ、ダビング中断中に行われる撮影の失敗を回避できる。
【００７０】
なお、上述実施の形態においては、この発明をビデオカメラ１００に適用したものであるが、複数種類の記録メディアを取り扱うレコーダにも、この発明を同様に適用できる。その場合、ダビング中断の指示は、ユーザ操作により発生される他、予約録画の開始時刻が近づいたとき、システム内で自動的に発生される。
【００７１】
また、上述実施の形態においては、記録メディアとして、ＤＶＤ１１１、メモリカード１１２、ＨＤ１１０を例に挙げたが、記録メディアはこれに限定されないことは勿論である。
【産業上の利用可能性】
【００７２】
この発明は、ダビングを中断する際にダビング先メディアにダビング再開情報を記録することで、ダビング中断時の動作の自由度を高めるようにしたものであり、複数種類の記録メディアを扱うビデオカメラ、レコーダ等に適用できる。
【図面の簡単な説明】
【００７３】
【図１】この発明の実施の形態としてのビデオカメラの構成例を示すブロック図である。
【図２】ダビング元メディアの選択、ダビングするファイルの選択、そして、ダビング開始の指示などを行うためのＵＩ画面の一例を示す図である。
【図３】ダビング時におけるビデオカメラの制御部の制御動作例を示すフローチャート（１／２）である。
【図４】ダビング時におけるビデオカメラの制御部の制御動作例を示すフローチャート（２／２）である。
【図５】ダビング元メディアがＨＤで、ダビング先メディアがＤＶＤである場合に、ＤＶＤに記録されるダビング再開情報の一例を示す図である。
【図６】ダビング元メディアがＨＤで、ダビング先メディアがメモリカードである場合に、メモリカードに記録されるダビング再開情報の一例を示す図である。
【図７】ダビング時およびダビング中断時の制御動作の詳細を示すフローチャートである。
【図８】リムーバブルメディアとしてのＤＶＤあるいはメモリカードが装填された場合におけるビデオカメラの制御部の制御動作例を示すフローチャートである。
【符号の説明】
【００７４】
１００・・・ビデオカメラ、１０１・・・制御部、１０２・・・ユーザ操作部、１０３・・・撮像部、１０４・・・記録再生処理部、１０５・・・ＲＡＭ、１０６・・・表示部、１０７・・・出力端子、１０８・・・光ディスクドライブ、１０９・・・メモリカードドライブ、１１０・・・ＨＤ、１１１・・・ＤＶＤ、１１２・・・メモリカード
【図１】
2009093728.tif 000003
【図２】
2009093728.tif 000004
【図３】
2009093728.tif 000005
【図４】
2009093728.tif 000006
【図５】
2009093728.tif 000007
【図６】
2009093728.tif 000008
【図７】
2009093728.tif 000009
【図８】
2009093728.tif 000010